(57)【特許請求の範囲】
【請求項１】
背景となる静止画を背景情報として記憶する背景情報記憶手段と、
メディア情報を記憶するメディア情報記憶手段と、
前記背景情報記憶手段及びメディア情報記憶手段から制作者によって選択された背景情報やメディア情報の各オブジェクトの位置及びサイズを記憶する位置・サイズ情報記憶手段と、
前記位置・サイズ情報記憶手段に記憶した情報を基に、前記背景情報記憶手段から制作者によって選択された背景情報を部分抽出し、記憶する抽出背景情報記憶手段と、
前記抽出背景情報記憶手段に記憶した背景情報と制作者によって選択されたメディア情報を合成する背景・メディア合成手段と、
前記背景・メディア合成手段で合成した背景・メディア情報を前記背景情報記憶手段に記憶した背景情報とともに表示する表示再生手段とを、有することを特徴とするマルチメディアプレゼンテーションシステム。
【請求項２】
複数の前記抽出背景情報記憶手段に記憶した背景情報及びメディア情報を時間情報と関連づけたシナリオ情報を記憶するシナリオ情報記憶手段と、
前記シナリオ情報に基づいて前記抽出背景情報記憶手段に記憶した背景情報及びメディア情報を時間的に切り換えて前記背景・メディア合成手段に出力するシナリオ情報解釈手段とを、有することを特徴とする請求項１記載のマルチメディアプレゼンテーションシステム。
【請求項３】
前記背景・メディア合成手段で合成した背景・メディア情報をＷｅｂページ記述言語で記述されたファイルに変換するＷｅｂページ記述言語変換手段を、有することを特徴とする請求項１または２記載のマルチメディアプレゼンテーションシステム。
【発明の詳細な説明】
【０００１】
【発明の属する技術分野】
本発明は背景情報とメディア情報が合成されて構成されるマルチメディア情報をプレゼンテーションに用いるマルチメディアプレゼンテーションシステムに関する。
【０００２】
【従来の技術】
従来、パーソナルコンピュータなどを利用して、マルチメディア情報を駆使したプレゼンテーションを行う場合、図９のようなシステム構成にてプレゼンテーションを行っていた。
【０００３】
即ち、従来のマルチメディアプレゼンテーションシステムは、背景情報管理部１１とメディア情報管理部１２と背景およびメディアの位置・サイズ設定管理部１３（以下、位置・サイズ設定管理部１３という。）と背景およびメディアの表示・再生部１４（以下、表示・再生部１４という。）を備えている。
【０００４】
従って、従来のマルチメディアプレゼンテーションシステムでは、背景情報管理部１１が、背景となる静止画情報を管理し、メディア情報管理部１２が、音声・動画・アニメーション・静止画などの情報を管理する。また、位置・サイズ設定管理部１３が、上記各オブジェクトの位置・サイズを設定し、表示・再生部１４が、上記背景情報及びメディア情報と位置・サイズ情報を利用して、マルチメディア情報の表示・再生を行うことにより、プレゼンテーションを行っていた。
【０００５】
【発明が解決しようとする課題】
しかしながら、上記のような従来のシステムでは、静止画である背景と動画像であるメディアを合成する手段がないため、背景と動画像が一体となったプレゼンテーションができないという課題があった。
【０００６】
つまり、図１０に示すように、従来では背景静止画ｆ２１と動画像ｆ２２を重ねた場合、合成画面イメージｆ２３は、動画像が背景静止画から浮いたような画像２３となってしまうという課題があった。
【０００７】
また、従来技術においても、合成するための別のシステムを用意することにより、背景と動画像を合成することは可能であるが、その合成作業には、合成に必要な背景の一部抽出を、制作者が計算して行わなければならず、非常に複雑で手間がかかり、制作者にとってとても工数がかかるという課題があった。
【０００８】
本発明は、以上の課題を解決するためになされたもので、パーソナルコンピュータ等の簡単なシステム構成で、静止画である背景情報と動画像を含むメディア情報を容易に合成して、プレゼンテーションを行うことができるマルチメディアプレゼンテーションシステムを提供することを目的とする。
【０００９】
【課題を解決するための手段】
上記目的を達成するため、本発明のマルチメディアプレゼンテーションシステムは、背景となる静止画を背景情報として記憶する背景情報記憶手段と、
メディア情報を記憶するメディア情報記憶手段と、
前記背景情報記憶手段及びメディア情報記憶手段から制作者によって選択された背景情報やメディア情報の各オブジェクトの位置及びサイズを記憶する位置・サイズ情報記憶手段と、
前記位置・サイズ情報記憶手段に記憶した情報を基に、前記背景情報記憶手段から制作者によって選択された背景情報を部分抽出し、記憶する抽出背景情報記憶手段と、
前記抽出背景情報記憶手段に記憶した背景情報と制作者によって選択されたメディア情報を合成する背景・メディア合成手段と、
前記背景・メディア合成手段で合成した背景・メディア情報を前記背景情報記憶手段に記憶した背景情報とともに表示する表示再生手段とを備えたことを要旨とする。
【００１０】
従って、本発明は、簡単なシステム構成で、静止画である背景情報と動画像を含むメディア情報を容易に合成することができ、その合成情報を表示再生することで、背景情報とメディア情報が一体となった効果的なプレゼンテーションを行うことができる。
【００１１】
【発明の実施の形態】
＜第１の実施の形態＞
以下、本発明の第１の実施の形態を図面を用いて説明する。
【００１２】
図１は、本発明のマルチメディアプレゼンテーションシステムの概略構成図である。本システムは、背景情報管理部５１、メディア情報管理部５２、背景およびメディアの位置・サイズ設定管理部５３（以下、位置・サイズ設定管理部５３という。）、背景情報抽出部５４、抽出した背景とメディアのキー合成部５５（以下、キー合成部５５という。）、背景およびメディアの表示・再生部５６（以下、表示・再生部５６という。）を備えており、合成作業を自動化するアプリケーションソフトウェアを用いることにより、簡単なシステム構成で、静止画である背景情報と動画像を含むメディア情報を容易に合成することができ、背景情報とメディア情報が一体となったプレゼンテーションを行うことができる。
【００１３】
背景情報管理部５１は、背景となる静止画情報を管理する機能を有し、背景情報（背景オブジェクト）を記憶している。
【００１４】
メディア情報管理部５２は、動画、音声、アニメーション、静止画等のマルチメディア情報を管理する機能を有し、種々のメディア情報（メディアオブジェクト）を記憶している。
【００１５】
位置・サイズ設定管理部５３は、上記の背景情報およびメディア情報をプレゼンテーションの素材として用いる際に、背景情報およびメディア情報のどの部分をどの位の大きさで用いるかを決定する機能を有し、制作者によって設定された各オブジェクトの位置・サイズ情報を記憶する。
【００１６】
背景情報抽出部５４は、位置・サイズ設定管理部５３から得られる情報を基に、メディアオブジェクトと重なる部分のみ背景情報を抽出する機能を有し、ＲＡＭ等の記憶領域に、抽出した背景情報を記憶する。
【００１７】
キー合成部５５は、背景情報抽出部５４で抽出した背景情報とメディア情報をキー合成する機能を有し、合成された情報をファイル化し、合成後のファイル（背景情報とメディア情報が一体化したもの）を、メディア情報管理部５２に記憶させる。
【００１８】
表示・再生部５６は、背景情報とメディアのキー合成部５５で合成されたメディア情報を表示・再生する機能を有する。
【００１９】
以下、図２のフローチャートと図３の具体的な表示画面イメージにより、本発明の動作を説明する。
【００２０】
まず、本発明のマルチメディアプレゼンテーションシステムを起動させる（Ｓ４１）。
【００２１】
次に、背景となる静止画を制作者が選択する（Ｓ４２）。これにより、背景情報管理部５１に該当背景情報（背景オブジェクト）が設定されたことになる（ｆ６１）。
【００２２】
そして、動画などのマルチメディア情報の中から制作者がメディアを選択する（Ｓ４３）。これにより、メディア情報管理部５２に該当メディア情報（メディアオブジェクト）が設定されたことになる（ｆ６３）。
【００２３】
さらに、制作者がメディアの位置・サイズを指示する（Ｓ４３）。これは、位置・サイズ設定管理部５３に位置・サイズ情報を設定することを意味する。
【００２４】
そして、制作者がキー合成を指示すると（Ｓ４４）、本システムに格納されているアプリケーションソフトウェアにより、キー合成が自動的に実行される（Ｓ４４）。これは、まず、位置・サイズ設定管理部５３に設定された位置・サイズ情報に基づいて、背景情報が部分抽出され、抽出された背景情報（ｆ６２）が、背景情報抽出部５４に記憶されることを意味する。そして、キー合成部５５が抽出された背景情報（ｆ６２）とメディア情報（ｆ６３）を合成し、合成されたメディア情報（ｆ６４）としてメディア情報管理部５２に登録することを意味し、さらに、表示・再生部５６が合成されたメディア情報（ｆ６４）と背景情報を合わせて画面イメージ（ｆ６５）を作成し、表示・再生することを意味する。
【００２５】
尚、ステップＳ４４は、図４の従来技術による背景と動画像の合成実施手順のＳ３０４からＳ３１４までの作業工程を、マルチメディアプレゼンテーションシステムのアプリケーションソフトウェアにおいて自動化して、１工程に集約したものである。
【００２６】
従って、本発明のマルチメディアプレゼンテーションシステムは、パソコン等で構成された簡単なシステム構成において、人手を介すことなく、自動的に静止画である背景情報と動画像であるメディア情報を容易に合成することができる。
【００２７】
＜第２の実施の形態＞
次に、本発明の第２の実施の形態について説明する。
【００２８】
図５は、本実施形態のマルチメディアプレゼンテーションシステムの概略構成図である。図１に示した基本構成に加えて、シナリオ作成手段７１とシナリオ解釈手段７２を備えている。尚、第１の実施の形態のマルチメディアプレゼンテーションシステムの構成と同一部分には同一符号を付している。
【００２９】
シナリオ作成手段７１は、複数の背景情報及びメディア情報を時間的に切り換えるシナリオ情報を管理する機能を有している。これは、例えば、時間によって背景情報が切り替わる場合は、図６のような管理テーブルにシナリオ情報を作成することを意味する。これにより、時間ＡからＢまでは「背景１」が、時間ＢからＣまでは「背景２」が表示されるようなシナリオを作成することができる。
【００３０】
また、シナリオ解釈手段７２は、シナリオ作成手段７１で作成したシナリオ情報を基に複数の背景情報及びメディア情報を時間的に切り換える機能を有する。これは、図６の例によると、時間Ａになると、背景情報「背景１」を抽出し、背景情報としてキー合成部５５に出力し、時間Ｂになると、背景情報「背景２」を抽出し、背景情報としてキー合成部５５に出力することを意味する。
【００３１】
従って、本実施形態では、時間をトリガーにしたシナリオ情報を有するので、複数の背景情報及びメディア情報を駆使してより効果的なプレゼンテーションを容易に行うことができる。
【００３２】
例えば、図７に示すように人物の手の動き（時間を関連させる）に合わせて、プレゼンテーション画面を表示させることができる。
【００３３】
＜第３の実施の形態＞
次に、本発明の第３の実施の形態について説明する。
【００３４】
図８は、本実施形態のマルチメディアプレゼンテーションシステムのシステム構成図である。図５に示した構成に加えて、さらにＨＴＭＬ書き出し手段７３を備えている。尚、第１及び第２の実施の形態のマルチメディアプレゼンテーションシステムの構成と同一部分には同一符号を付している。
【００３５】
ＨＴＭＬ書き出し手段７３は、表示・再生部５６で表示・再生される情報をＨＴＭＬ（Ｈｙｐｅｒ  Ｔｅｘｔ  Ｍａｒｋｕｐ Ｌａｎｇｕａｇｅ）ファイルに変換し、このＨＴＭＬファイルを記憶する機能を有する。
【００３６】
これにより、プレゼンテーションに用いるマルチメディア情報を容易にインターネットで利用可能なＷｅｂ情報とすることができ、ブラウザソフトがあれば本発明のマルチプレゼンテーションシステムを利用することができる。
【００３７】
尚、本発明はＨＴＭＬファイルに限定されるものではなく、ＸＭＬ（ｅＸｔｅｎｓｉｂｌｅ  Ｍａｒｋｕｐ  Ｌａｎｇｕａｇｅ）をはじめ、インターネットで表示可能なＷｅｂページを記述する言語であれば適用可能である。
【００３８】
【発明の効果】
以上説明したように、本発明のマルチメディアプレゼンテーションシステムによれば、背景となる静止画情報と、動画を含むメディア情報を管理しており、これらの背景情報やメディア情報の位置やサイズの設定を行うと、背景情報を部分抽出し、これをメディア情報と合成した背景・メディア情報を表示再生する。
【００３９】
従って、パーソナルコンピュータ等の簡単なシステム構成であっても、静止画である背景情報と動画像を含むメディア情報を容易に合成することができて、背景情報とメディア情報が一体となったプレゼンテーションが行うことができるという効果がある。
【図面の簡単な説明】
【図１】本発明の実施の形態１に係るマルチメディアプレゼンテーションシステムの概略構成図である。
【図２】本発明の実施の形態１に係るマルチメディアプレゼンテーションシステムの背景情報とメディア情報の合成手順を説明するフローチャートである。
【図３】本発明の実施の形態１に係るマルチメディアプレゼンテーションシステムの表示画面のイメージ図である。
【図４】従来技術のマルチメディアプレゼンテーションシステムによる背景情報とメディア情報の合成手順を示すフローチャートである。
【図５】本発明の実施の形態２に係るマルチメディアプレゼンテーションシステムの概略構成図である。
【図６】本発明の実施の形態２に係るマルチメディアプレゼンテーションシステムのシナリオ情報が格納されている管理テーブルである。
【図７】本発明の実施の形態２に係るマルチメディアプレゼンテーションシステムの一画面例である。
【図８】本発明の実施の形態３に係るマルチメディアプレゼンテーションシステムの概略構成図である。
【図９】従来の技術によるマルチメディアプレゼンテーションシステムの概略構成図である。
【図１０】従来の技術による背景情報とメディア情報の合成画面のイメージ図である。
【符号の説明】
１１  背景情報管理部
１２  メディア情報管理部
１３  背景およびメディアの位置・サイズ設定管理部
１４  背景およびメディアの表示・再生部
２１  背景静止画
２２  動画像
２３  従来技術による合成結果の画面イメージ
５１  背景情報管理部（背景情報記憶手段の一例）
５２  メディア情報管理部（メディア情報記憶手段の一例）
５３  背景およびメディアの位置・サイズ設定管理部（位置・サイズ情報記憶手段の一例）
５４  背景情報抽出部（抽出背景情報記憶手段の一例）
５５  抽出した背景とメディアのキー合成部（背景・メディア情報合成手段の一例）
５６  背景およびメディアの表示・再生部（表示再生手段の一例）
６１  背景静止画
６２  抽出した背景情報
６３  動画像
６４  合成結果の動画像
６５  本発明による合成結果の画面イメージ
７１  シナリオ作成手段（シナリオ情報記憶手段の一例）
７２  シナリオ解釈手段（シナリオ情報解釈手段の一例）
７３  ＨＴＭＬ書き出し手段（Ｗｅｂページ記述言語変換手段の一例）
【図１】
0004099966.tif 000002
【図２】
0004099966.tif 000003
【図３】
0004099966.tif 000004
【図４】
0004099966.tif 000005
【図５】
0004099966.tif 000006
【図６】
0004099966.tif 000007
【図７】
0004099966.tif 000008
【図８】
0004099966.tif 000009
【図９】
0004099966.tif 000010
【図１０】
0004099966.tif 000011